【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
アクセス切断システムであって、
動脈管路または静脈管路が切断したときに、患者からの血液を吸収することが可能である材料と、
該材料上に光を放射するように配置される光エミッタと、
該材料からの反射光を受け取るように配置される光レシーバと、
該光エミッタおよび該光レシーバのうちの少なくとも１つに作動可能に結合される電子回路であって、（ｉ）該レシーバによって受け取られる光が特定のレベルに達すると、または（ｉｉ）該光レシーバによって受け取られる光の量を示す、出力を提供するように構成される、電子回路と
を備え、該光エミッタは、該動脈管路および該静脈管路を覆うように意図される材料の一部分から離れて配置されることにより、光が該材料上に放射される位置は、該患者からの許容量の血液浸潤を提供する、システム。
【請求項２】
前記材料を前記患者の腕に作動可能に装着する装着機構を含む、請求項１に記載のアクセス切断システム。
【請求項３】
前記光エミッタは、光を放射し、該光は、該光を血液によって吸収させる波長を有する、請求項１に記載のアクセス切断システム。
【請求項４】
（ｉ）前記材料が、ガーゼであること、（ｉｉ）前記光エミッタが、発光ダイオードであること、および（ｉｉｉ）前記光レシーバが、光電池または光トランジスタであること、のうちの少なくとも１つを含む、請求項１に記載のアクセス切断システム。
【請求項５】
前記材料と前記光エミッタ／レシーバとの間に配置される膜を含み、該材料は、光が該材料を通過することを許容するように選択される、請求項１に記載のアクセス切断システム。
【請求項６】
前記電子回路は、前記レシーバによって受け取られる光が前記特定のレベルを下回ると、前記出力を提供するように構成される、請求項１に記載のアクセス切断システム。
【請求項７】
前記特定のレベルは、少なくとも実質的に、光を全く受け取らないレベルである、請求項１に記載のアクセス切断システム。
【請求項８】
前記出力は、電気出力および無線周波数出力から成る群から選択される種類のものである、請求項１に記載のアクセス切断システム。
【請求項９】
血液治療ユニットを含み、前記出力は該血液治療ユニットに送信される、請求項１に記載のアクセス切断システム。
【請求項１０】
前記血液治療ユニットは、（ｉ）前記受け取られる光の量がアクセス切断状態を正当とするか否かを判断すること、（ｉｉ）前記出力を受信すると、前記患者に警告すること、および（ｉｉｉ）該出力を受信すると、血液ポンプおよび透析液ポンプのうちの少なくとも１つを閉鎖すること、のうちの少なくとも１つを実行する、請求項９に記載のアクセス切断システム。
【請求項１１】
（ｉ）複数の光エミッタ、（ｉｉ）複数の光レシーバ、および（ｉｉｉ）該光エミッタおよび該光レシーバのうちの少なくとも１つへのバッテリ電源、のうちの少なくとも１つを含む、請求項１に記載のアクセス切断システム。
【請求項１２】
（ｉ）電気インピーダンスアクセス切断検出器、（ｉｉ）超音波アクセス切断検出器、（ｉｉｉ）音響アクセス切断検出器、（ｉｖ）前記光エミッタと、光レシーバと、電子回路とを有する生体インピーダンスアクセス切断検出器、のうちの１つを組み合わせる冗長システムである、請求項１に記載のアクセス切断システム。
【請求項１３】
アクセス切断システムであって、
動脈管路または静脈管路が切断したときに、患者からの血液を吸収することが可能である材料と、
該材料上に光を放射するように配置される複数の光エミッタと、
該材料からの反射光を受け取るように配置される複数の光レシーバと、
該複数の光エミッタおよび光レシーバのうちの少なくとも１つに作動可能に結合される電子回路を含む可撓性回路であって、（ｉ）該レシーバのうちの少なくとも１つによって受け取られる光が特定のレベルに達すると、または（ｉｉ）該レシーバのうちの少なくとも１つによって受け取られる量を示す、出力を提供するように構成される、可撓性回路と
を備え、該複数の光エミッタは、該可撓性回路の周囲に沿って配置されることにより、該材料上に光が放射される位置は、該動脈管路または該静脈管路の接続箇所から十分に離れ、該患者からの許容量の正常量の血液浸潤を提供する、システム。
【請求項１４】
前記電子回路は、前記少なくとも１つのレシーバによって受け取られる光が、前記特定のレベルを下回ると、前記アクセス切断出力を提供するように構成される、請求項１３に記載のアクセス切断システム。
【請求項１５】
血液治療ユニットを含み、前記出力は、該血液治療ユニットに送信される、請求項１３に記載のアクセス切断システム。
【請求項１６】
（ｉ）前記受け取られる光の量が、アクセス切断状態を正当とするか否かを判断すること、（ｉｉ）前記出力を受信すると、前記患者に警告すること、および（ｉｉｉ）該出力を受信すると、血液ポンプおよび透析液ポンプのうちの少なくとも１つを閉鎖すること、のうちの少なくとも１つを行う、請求項１５に記載のアクセス切断システム。
【請求項１７】
（ｉ）電気インピーダンスアクセス切断検出器、（ｉｉ）超音波アクセス切断検出器、（ｉｉｉ）音響アクセス切断検出器、および（ｉｖ）前記光エミッタと、光レシーバと、電子回路とを有する生体インピーダンスアクセス切断検出器、のうちの１つを組み合わせる冗長システムである、請求項１５に記載のアクセス切断システム。
【請求項１８】
アクセス切断システムであって、
動脈管路または静脈管路が切断したときに、患者からの血液を吸収することが可能である材料と、
該材料上に光を放射するように配置される光エミッタと、
該材料からの反射光を受け取るように配置される光レシーバと、
該光エミッタおよび該光レシーバのうちの少なくとも１つに結合される電子回路からデータを要求するように構成される透析液ユニットであって、該電子回路は、該要求を受信すると、該レシーバによって受け取られる光の量を示す出力を該透析液ユニットに送信するように構成され、該透析液ユニットは、該出力を受信すると、該レシーバによって受け取られる該光の量が、アクセス切断状態を正当とするか否かを判断するように構成される、透析液ユニットと
を備える、システム。
【請求項１９】
前記アクセス切断状態が、前記透析液ユニットに、（ｉ）前記患者に警告すること、（ｉｉ）前記血液ポンプを閉鎖すること、および（ｉｉｉ）静脈管路クランプを作動させること、のうちの少なくとも１つを実行させる、請求項１８に記載のアクセス切断システム。
【請求項２０】
前記光レシーバは、複数の光レシーバを含む、請求項１８に記載のアクセス切断システム。
【請求項２１】
前記エミッタおよびレシーバは、（ｉ）前記電子機器が前記要求を受信するまで、節電モードに維持されるか、および（ｉｉ）バッテリが電気供給されるか、のうちの少なくとも１つである、請求項１８に記載のアクセス切断システム。
【請求項２２】
（ｉ）電気インピーダンスアクセス切断検出器、（ｉｉ）超音波アクセス切断検出器、（ｉｉｉ）音響アクセス切断検出器、および（ｉｖ）前記光エミッタと、光レシーバと、電子回路とを有する生体インピーダンスアクセス切断検出器、のうちの１つを組み合わせる冗長システムである、請求項１８に記載のアクセス切断システム。
【手続補正２】
【補正対象書類名】明細書
【補正対象項目名】００４４
【補正方法】変更
【補正の内容】
【００４４】
付加的な特長および利点が、本明細書に記載され、以下の発明を実施するための形態および図から明白となるであろう。
例えば、本発明は以下の項目を提供する。
（項目１）
アクセス切断システムであって、
動脈管路または静脈管路が切断したときに、患者からの血液を吸収することが可能である材料と、
該材料上に光を放射するように配置される光エミッタと、
該材料からの反射光を受け取るように配置される光レシーバと、
該光エミッタおよび該光レシーバのうちの少なくとも１つに作動可能に結合される電子回路であって、（ｉ）該レシーバによって受け取られる光が特定のレベルに達すると、または（ｉｉ）該光レシーバによって受け取られる光の量を示す、出力を提供するように構成される、電子回路と
を備える、システム。
（項目２）
上記材料を上記患者の腕に作動可能に装着する装着機構を含む、項目１に記載のアクセス切断システム。
（項目３）
上記光エミッタは、光を放射し、該光は、該光を血液によって吸収させる波長を有する、項目１に記載のアクセス切断システム。
（項目４）
（ｉ）上記材料が、ガーゼであること、（ｉｉ）上記光エミッタが、発光ダイオードであること、および（ｉｉｉ）上記光レシーバが、光電池または光トランジスタであること、のうちの少なくとも１つを含む、項目１に記載のアクセス切断システム。
（項目５）
上記材料と上記光エミッタ／レシーバとの間に配置される膜を含み、該材料は、光が該材料を通過することを許容するように選択される、項目１に記載のアクセス切断システム。
（項目６）
上記電子回路は、上記レシーバによって受け取られる光が上記特定のレベルを下回ると、上記出力を提供するように構成される、項目１に記載のアクセス切断システム。
（項目７）
上記特定のレベルは、少なくとも実質的に、光を全く受け取らないレベルである、項目１に記載のアクセス切断システム。
（項目８）
上記光がその上に放射される場所は、動脈管路または静脈管路の接続箇所から十分離れて配置されることにより、正常量の血液浸潤を許容する、項目１に記載のアクセス切断システム。
（項目９）
上記出力は、電気出力および無線周波数出力から成る群から選択される種類のものである、項目１に記載のアクセス切断システム。
（項目１０）
血液治療ユニットを含み、上記出力は該血液治療ユニットに送信される、項目１に記載のアクセス切断システム。
（項目１１）
上記血液治療ユニットは、（ｉ）上記受け取られる光の量がアクセス切断状態を正当とするか否かを判断すること、（ｉｉ）上記出力を受信すると、上記患者に警告すること、および（ｉｉｉ）該出力を受信すると、血液ポンプおよび透析液ポンプのうちの少なくとも１つを閉鎖すること、のうちの少なくとも１つを実行する、項目１０に記載のアクセス切断システム。
（項目１２）
（ｉ）複数の光エミッタ、（ｉｉ）複数の光レシーバ、および（ｉｉｉ）該光エミッタおよび該光レシーバのうちの少なくとも１つへのバッテリ電源、のうちの少なくとも１つを含む、項目１に記載のアクセス切断システム。
（項目１３）
（ｉ）電気インピーダンスアクセス切断検出器、（ｉｉ）超音波アクセス切断検出器、（ｉｉｉ）音響アクセス切断検出器、（ｉｖ）上記光エミッタと、光レシーバと、電子回路とを有する生体インピーダンスアクセス切断検出器、のうちの１つを組み合わせる冗長システムである、項目１に記載のアクセス切断システム。
（項目１４）
アクセス切断システムであって、
動脈管路または静脈管路が切断したときに、患者からの血液を吸収することが可能である材料と、
該材料上に光を放射するように配置される複数の光エミッタと、
該材料からの反射光を受け取るように配置される複数の光レシーバと、
該複数の光エミッタおよび光レシーバのうちの少なくとも１つに作動可能に結合される電子回路であって、（ｉ）該レシーバのうちの少なくとも１つによって受け取られる光が特定のレベルに達すると、または（ｉｉ）該レシーバのうちの少なくとも１つによって受け取られる量を示す、出力を提供するように構成される、電子回路と
を備える、システム。
（項目１５）
上記電子回路は、上記少なくとも１つのレシーバによって受け取られる光が、上記特定のレベルを下回ると、上記アクセス切断出力を提供するように構成される、項目１４に記載のアクセス切断システム。
（項目１６）
上記光がその上に放射される複数の場所は、上記動脈管路または静脈管路の接続箇所から十分に離れて配置されることにより、正常量の血液浸潤を許容する、項目１４に記載のアクセス切断システム。
（項目１７）
血液治療ユニットを含み、上記出力は、該血液治療ユニットに送信される、項目１４に記載のアクセス切断システム。
（項目１８）
（ｉ）上記受け取られる光の量が、アクセス切断状態を正当とするか否かを判断すること、（ｉｉ）上記出力を受信すると、上記患者に警告すること、および（ｉｉｉ）該出力を受信すると、血液ポンプおよび透析液ポンプのうちの少なくとも１つを閉鎖すること、のうちの少なくとも１つを行う、項目１７に記載のアクセス切断システム。
（項目１９）
（ｉ）電気インピーダンスアクセス切断検出器、（ｉｉ）超音波アクセス切断検出器、（ｉｉｉ）音響アクセス切断検出器、および（ｉｖ）上記光エミッタと、光レシーバと、電子回路とを有する生体インピーダンスアクセス切断検出器、のうちの１つを組み合わせる冗長システムである、項目１７に記載のアクセス切断システム。
（項目２０）
アクセス切断システムであって、
動脈管路または静脈管路が切断したときに、患者からの血液を吸収することが可能である材料と、
該材料上に光を放射するように配置される光エミッタと、
該材料からの反射光を受け取るように配置される光レシーバと、
該光エミッタおよび該光レシーバのうちの少なくとも１つに結合される電子回路からデータを要求するように構成される透析液ユニットであって、該電子回路は、該要求を受信すると、該レシーバによって受け取られる光の量を示す出力を該透析液ユニットに送信するように構成され、該透析液ユニットは、該出力を受信すると、該レシーバによって受け取られる該光の量が、アクセス切断状態を正当とするか否かを判断するように構成される、透析液ユニットと
を備える、システム。
（項目２１）
上記アクセス切断状態が、上記透析液ユニットに、（ｉ）上記患者に警告すること、（ｉｉ）上記血液ポンプを閉鎖すること、および（ｉｉｉ）静脈管路クランプを作動させること、のうちの少なくとも１つを実行させる、項目２０に記載のアクセス切断システム。
（項目２２）
上記光レシーバは、複数の光レシーバを含む、項目２０に記載のアクセス切断システム。
（項目２３）
上記エミッタおよびレシーバは、（ｉ）上記電子機器が上記要求を受信するまで、節電モードに維持されるか、および（ｉｉ）バッテリが電気供給されるか、のうちの少なくとも１つである、項目２０に記載のアクセス切断システム。
（項目２４）
（ｉ）電気インピーダンスアクセス切断検出器、（ｉｉ）超音波アクセス切断検出器、（ｉｉｉ）音響アクセス切断検出器、および（ｉｖ）上記光エミッタと、光レシーバと、電子回路とを有する生体インピーダンスアクセス切断検出器、のうちの１つを組み合わせる冗長システムである、項目２０に記載のアクセス切断システム。